(57)【特許請求の範囲】
【請求項１】
回動可能な可動翼片の裏面にリブ及び操作ロッドを突設すると共に、電気駆動装置から駆動力を受け前記操作ロッドを回動するアームを備え、該アームはストッパーとしての駆動片を有し、該駆動片は、前記可動翼片が閉状態にあるとき前記操作ロッドから離れた定位置にあり、前記電気駆動装置の作動時に前記操作ロッドと当接開始して該操作ロッドを前記可動翼片の開方向へ回動させるよう構成されており、
前記電気駆動装置の作動時には、前記駆動片が前記定位置から前記操作ロッドと当接開始する位置まで移動した後に前記可動翼片が回動開始することにより、前記リブと前記駆動片との干渉が回避されて該可動翼片が開き、一方、前記電気駆動装置の非作動時に前記可動翼片に対し開方向の回動力が外部から加えられたときには、該可動翼片が直ちに回動開始するのに対し前記駆動片が依然として略定位置にあることにより、該リブが該駆動片と干渉し、該可動翼片の開方向への回動が阻止されることを特徴とする可変入賞装置の防犯機構。
【発明の詳細な説明】
【０００１】
【発明の属する技術分野】
本発明は、可変入賞装置の防犯機構、詳しくは、パチンコ遊技機において可変入賞装置の可動翼片を外部操作によって開き、この開状態の入賞口に遊技球を入れて賞球（出玉）を不当に獲得する不正行為を防止するための可変入賞装置の防犯機構に関する。
【０００２】
【従来の技術】
従来から、パチンコ遊技機として、特定の入賞口に可変入賞装置を備えるタイプのものがある。
【０００３】
可変入賞装置は、通常、電気駆動装置（一般には電磁ソレノイド）と、左右一対の回動可能な可動翼片と、これらの可動翼片の裏面に突設された操作ロッドと、上記電磁ソレノイドから駆動力を受け上記操作ロッドを回動するアームとを備え、上記電磁ソレノイドの作動時に上記アーム及び上記操作ロッドを介して上記可動翼片を開き、入賞口に遊技球を入り易くする。
【０００４】
【発明が解決しようとする課題】
しかし、最近、図７（Ａ）に示すように、電磁ソレノイドが作動していないときに、外部からピアノ線やセル板等の不正道具１を遊技盤前面とガラス板との間に侵入させて可動翼片２に引っ掛け、図７（Ｂ）に示すように、可動翼片２を無理矢理に開けてこの入賞口３に遊技球４を入れ（図７（Ｂ）参照）、賞球を不当に獲得する不正行為が多発し、ホール側は多大な損害を受けている。
【０００５】
本発明は、このような不正行為の防止策として案出されたものであり、外部から可変入賞装置の可動翼片を開けようとしても可動翼片が開かず不正行為を防止することができる可変入賞装置の防犯機構を提供することを目的としている。
【０００６】
【課題を解決するための手段】
本発明による可変入賞装置の防犯機構は、回動可能な可動翼片の裏面にリブ及び操作ロッドを突設すると共に、電気駆動装置から駆動力を受け前記操作ロッドを回動するアームを備え、該アームはストッパーとしての駆動片を有し、該駆動片は、前記可動翼片が閉状態にあるとき前記操作ロッドから離れた定位置にあり、前記電気駆動装置の作動時に前記操作ロッドと当接開始して該操作ロッドを前記可動翼片の開方向へ回動させるよう構成されており、前記電気駆動装置の作動時には、前記駆動片が前記定位置から前記操作ロッドと当接開始する位置まで移動した後に前記可動翼片が回動開始することにより、前記リブと前記駆動片との干渉が回避されて該可動翼片が開き、一方、前記電気駆動装置の非作動時に前記可動翼片に対し開方向の回動力が外部から加えられたときには、該可動翼片が直ちに回動開始するのに対し前記駆動片が依然として略定位置にあることにより、該リブが該駆動片と干渉し、該可動翼片の開方向への回動が阻止されることを特徴とする。
【０００７】
このように構成することにより、外部からピアノ線やセル板等の不正道具を用いて可動翼片を開けようとしても可動翼片が開かないため、賞球を不当に獲得する不正行為を防止することができる。また、アームにストッパーとしての機能をもたせることにより、ストッパーを別途設ける場合に比べ、部品点数の減少を図ることができる。さらに、簡単な構成によって可変入賞装置の通常の作動を確保しつつ不正行為を防止することができるようになる。
【００１０】
【発明の実施の形態】
以下、本発明の一実施形態を図１〜図６に基づいて説明する。
【００１１】
図１は、一実施形態に係る可変入賞装置における駆動系の斜視図であり、図１（Ａ）は、不正行為の開始時に対応する斜視図、図１（Ｂ）は、不正行為の不成功時に対応する斜視図をそれぞれ示す。また、図２は、上記可変入賞装置の側面概略断面図、図３及び図４は、上記可変入賞装置の要部の分解斜視図、図５は、上記可変入賞装置が通常の作動をする時の可動翼片の動作説明図、図６は、上記可変入賞装置に対し不正行為が行われた時の可動翼片の動作説明図をそれぞれ示す。
【００１２】
本実施形態に係る可変入賞装置１００は、左右一対の可動翼片２と前ケース５と電磁ソレノイド（電気駆動装置）６と左右一対のアーム７と後ケース８と取付プレート９とを備える。
【００１３】
各可動翼片２の裏面（後面）には、リブ１０が突設されている。また、各可動翼片２の裏面から、操作ロッド１１が突出している。また、各可動翼片２は前後方向の軸孔１２を有し、各軸孔１２に前ケース５の軸１３が挿通されることにより、各可動翼片２はこの軸１３を中心として回動自在とされる。
【００１４】
前ケース５は、前板部１４と底板部１５とを有しており、前板部１４の後面に上記二本の軸１３が突設されている。また、前板部１４の後面には、上方から落下してきた遊技球（入賞球）４を後方へ案内するガイドレーン部１６が形成されている。さらに、前板部１４の後面には、ねじ孔を有する二本の係止脚１７が突設されており、前ケース５の後端に取付プレート９及び後ケース８を順にセットした後、ねじ１８を後ケース８の孔１９、取付プレート９の孔２０に通した後、係止脚１７の上記ねじ孔にねじ込むことによって、前ケース５と取付プレート９と後ケース８とが一体に組み付けられる。
【００１５】
電磁ソレノイド６は、前後方向へ往復動可能なプランジャー２１を有する。プランジャー２１の前端部には凹部２２が形成されており、この凹部２２に、各アーム７の従動ピン２３が収容、保持される。
【００１６】
各アーム７は、垂直部分２４と水平部分２５とからなるＬ字状をしている。水平部分２５の先端部は、側面視コ字状に形成されており、この先端部の下側部位が、操作ロッド１１を押し上げる駆動片２６を構成している。垂直部分２４の上端部の内側面には、上述した如き、プランジャー２１の凹部２２に収容、保持される従動ピン２３が突設されている。垂直部分２４と水平部分２５との接続部の内側面には、水平軸部２７が突設されている。水平軸部２７は軸線方向の貫通孔２８を有し、この貫通孔２８は、上記接続部の貫通孔２９の延長線上に位置している。これらの貫通孔２８、２９には、後ケース８の軸孔３０に挿通され止め金具３１によって後ケース８に装着される軸ピン３２が挿通され、アーム７は、軸ピン３２を中心として回動自在とされる。
【００１７】
後ケース８は、垂直な前板部３３を備える。前板部３３の上端には、遊技球４の通過可能な孔３４を有する枠体３５が前方に突設されている。この枠体３５の孔３４を通過する遊技球４は、可動翼片２の開閉とは無関係に前ケース５のガイドレーン部１６に到達することができ、入賞球となる。前板部３３の下部には、ガイドレーン部１６まで落下してきた入賞球４の通過可能な孔３６が形成されており、また、前板部３３の後面には、この孔３６を通過した入賞球４を遊技盤の裏面側に誘導するためのガイドレーン部３７が突設されている。さらに、前板部３３には、軸１３を中心とする各可動翼片２の操作ロッド１１及びリブ１０の回動を許容するための略Ｌ字状の窓３８が形成されている。この窓３８の上端３９は、可動翼片２が開方向へ回動したときに操作ロッド１１と当接し、可動翼片２の全開時の角度を規制する作用をする。また、この窓３８の左右外側の端部４０は、可動翼片２が閉方向へ回動したときにリブ１０と当接し、可動翼片２の全閉時の角度を規制する作用をする。前板部３３の後面には、ガイドレーン部３７を挟んで左右一対の垂直壁４１が突設されており、各垂直壁４１とガイドレーン部３７との間に、アーム７の水平部２５が干渉することなく上下方向へ回動可能なように配される。また、各垂直壁４１とガイドレーン部３７との間に、水平な床部４２が形成されており、電磁ソレノイド６が作動していないとき、この床部４２の上にアーム７の駆動片２６が載った状態となる。また、各垂直壁４１には、前板部３３の上記窓３８から連続し、軸１３を中心とするリブ１０の回動を許容する窓４３が形成されている。
【００１８】
次に、上記のように構成された可変入賞装置１００の動作を説明する。
【００１９】
まず、電磁ソレノイド６が作動していないときには、プランジャー２１は図１（Ａ）及び図２に示すような前進位置にあり、アーム７の駆動片２６は後ケース８の床部４２の上に載置された状態に保たれる。また、リブ１０は後ケース８の窓３８の左右外側の端部４０と当接した状態に保たれ、可動翼片２は全閉状態に保持される。
【００２０】
電磁ソレノイド６が作動すると、プランジャー２１は後退し、アーム７は軸ピン３２を中心に回動し、その駆動片２６が上昇してゆく。この駆動片２６の上昇に伴う可動翼片２の作動を図５に基づいて説明する。まず、電磁ソレノイド６が作動していないときには、図５（Ａ）に示すように、駆動片２６は操作ロッド１１から下方に離れた定位置にあり、可動翼片２は全閉状態にある。そして、電磁ソレノイド６が作動すると、駆動片２６は、上昇し始め、図５（Ｂ）に示すように操作ロッド１１と当接するようになる。この当接開始した後は、駆動片２６は操作ロッド１１を押し上げてゆき、このため、図５（Ｃ）に示すように可動翼片２は軸１３を中心として開方向へ回動してゆく。そして、図５（Ｄ）に示すように操作ロッド１１が後ケース８の窓３８の上端３９に当接することで、可動翼片２は全開状態となり、遊技球４は入賞口に入り易くなる。なお、可動翼片２が上記のように全閉状態から全開状態になるまでの間において、リブ１０は、図５（Ｃ）に示すように駆動片２６の下方へ回り込む動作をするため、駆動片２６と干渉することはない。
【００２１】
その後、電磁ソレノイド６の作動を解除すると、プランジャー２１が前進位置まで戻ることにより、可動翼片２は図５（Ａ）に示す全閉状態に戻る。
【００２２】
一方、図６（Ａ）に示すように可動翼片２の上端にピアノ線又はセル板等の不正道具１を引っ掛け、可動翼片２を無理矢理に開けようとすると、直ちに操作ロッド１１が軸１３を中心として回動し始め、図６（Ｂ）及び図１（Ｂ）に示すように、リブ１０が、略定位置にある駆動片２６の側面と当接するようになる。この駆動片２６にリブ１０が当接することにより、以後、可動翼片２は開方向へ回動できなくなり、可動翼片２は、僅かにしか開かない。このため、遊技球４は、可動翼片２が全閉状態にあるときと同様、入賞口へ入ることができない。
【００２３】
以上説明したように、本実施形態に係る可変入賞装置１００は、回動可能な可動翼片２の裏面にリブ１０を突設し、可動翼片２に対し開方向の回動力が外部から加えられた時、可動翼片２の開方向への回動に伴いリブ１０がストッパー（アーム７の駆動片２６）に干渉し、可動翼片２の開方向への回動が阻止されるよう構成される。このため、外部からピアノ線やセル板等の不正道具１を用いて可動翼片２を開けようとしても可動翼片２が開かないため、賞球を不当に獲得する不正行為を防止することができる。
【００２４】
また、本実施形態に係る可変入賞装置１００は、アーム７がストッパーを兼ねるものであるため、ストッパーを別途設ける場合に比べ、部品点数の減少を図ることができる。
【００２５】
さらに、アーム７は駆動片２６を有し、駆動片２６は、可動翼片２が閉状態にあるとき操作ロッド１１から離れた定位置にあり、電磁ソレノイド６の作動時に操作ロッド１１と当接開始して操作ロッド１１を可動翼片２の開方向へ回動させるよう構成されており、電磁ソレノイド６の作動時には、駆動片２６が定位置から操作ロッド１１と当接開始する位置まで移動した後に可動翼片２が回動開始することにより、リブ１０と駆動片２６との干渉が回避されて可動翼片２が開き、一方、可動翼片２に対し開方向の回動力が外部から加えられた時には、可動翼片２が直ちに回動開始するのに対し駆動片２６が依然として略定位置にあることにより、リブ１０が駆動片２６と干渉し、可動翼片２の開方向への回動が阻止される。これにより、簡単な構成によって可変入賞装置１００の通常の作動を確保しつつ不正行為を防止することができる。
【００２６】
【発明の効果】
本発明による可変入賞装置の防犯機構によると、外部からピアノ線やセル板等の不正道具を用いて可動翼片を開けようとしても可動翼片が開かないため、賞球を不当に獲得する不正行為を防止することができる。
【図面の簡単な説明】
【図１】本発明の一実施形態に係る可変入賞装置における駆動系の斜視図であり、図１（Ａ）は、不正行為の開始時に対応する斜視図、図１（Ｂ）は、不正行為の不成功時に対応する斜視図をそれぞれ示す。
【図２】上記可変入賞装置の側面概略断面図を示す。
【図３】図４とともに上記可変入賞装置の要部の分解斜視図を示し、該要部の一部の分解斜視図を示す。
【図４】上記要部の残部の分解斜視図を示す。
【図５】上記可変入賞装置が通常の作動をする時の可動翼片の動作説明図を示す。
【図６】上記可変入賞装置に対し不正行為が行われた時の可動翼片の動作説明図を示す。
【図７】従来の可変入賞装置に対する不正行為を説明するための説明図を示す。
【符号の説明】
１００    可変入賞装置
２    可動翼片
６    電磁ソレノイド（電気駆動装置）
７    アーム
１０    リブ
１１    操作ロッド
２６    駆動片
【図１】
0003814115.tif 000002
【図２】
0003814115.tif 000003
【図３】
0003814115.tif 000004
【図４】
0003814115.tif 000005
【図５】
0003814115.tif 000006
【図６】
0003814115.tif 000007
【図７】
0003814115.tif 000008